(57)【特許請求の範囲】
【請求項１】
遊技球が流下する遊技領域を有する遊技盤と、前記遊技領域に向けて遊技球を発射する発射装置と、前記遊技領域に設けられた横長形状の内底面を有する大入賞口と、この大入賞口の開口部を開閉するアタッカ扉と、前記大入賞口の内底面に設けられたアウト孔に入球した遊技球を検知する矩形状のセンサユニットと、このセンサユニットの貫通孔を通過した遊技球を誘導して前記遊技盤の裏面側へ排出する回収通路とを備えた弾球遊技機において、
前記遊技盤に設けた切欠き孔に収納される本体ケースを備え、
この本体ケースに前記大入賞口と前記回収通路および保持孔を一体的に形成し、前記保持孔内に挿入した前記センサユニットと前記大入賞口とを平面的にオーバーラップさせると共に、前記回収通路を前記遊技盤の盤面に略平行な面内で屈曲させて前記大入賞口と平面的にオーバーラップさせることを特徴とする弾球遊技機。
【請求項２】
請求項１の記載において、前記大入賞口の上方に前記センサユニットと平行に延びる回路基板を配置し、この回路基板に実装した光源の光によって前記大入賞口の内底面を照射するようにしたことを特徴とする弾球遊技機。
【発明の詳細な説明】
【技術分野】
【０００１】
本発明は、パチンコ店などの遊技場に設置して使用される弾球遊技機に係り、特に、大当たり発生時に開放動作されるアタッカ装置を備えた弾球遊技機に関するものである。
【背景技術】
【０００２】
パチンコ機に代表される弾球遊技機の中には、遊技盤の遊技領域に可変表示装置や始動入賞口等を配設し、遊技領域に向けて発射された遊技球が始動入賞口に入賞したことを契機に電子抽選を行い、その抽選結果に基づいて可変表示装置が図柄の変動表示および停止表示を行うようにした機種が存在する。電子抽選の抽選結果には当たりとハズレがあり、抽選結果が当たりの場合には、可変表示装置の表示画面に所定の特別図柄の組合せが表示され、通常モードから特別遊技モードへと移行する。この特別遊技モードでは、可変表示装置の真下位置等に配設したアタッカ装置が開放動作され、それに伴って露呈する大入賞口に遊技球が入るので、遊技者は多くの賞球を獲得できるようになっている。
【０００３】
従来より知られている一般的なアタッカ装置は、前面を開口して横長形状の内底面を有する大入賞口と、大入賞口の開口部を開閉するアタッカ扉とを備えており、アタッカ扉はソレノイド等によって駆動されるようになっている。大入賞口の内部にはアウト孔が設けられており、大入賞口に入賞した遊技球はアウト孔を通ってセンサユニットで検知された後、センサユニットに連通する回収通路に導かれて遊技盤の裏面側へと排出される（例えば、特許文献１参照）。このセンサユニットは長手方向の一端部に貫通孔を有する矩形板状の近接スイッチであり、貫通孔に連通する回収通路の下端部は遊技球の排出口となっている。なお、センサユニットには高周波発振回路を搭載した回路基板が収納されており、この発振回路の検知コイルが貫通孔を包囲するように配置されている。また、センサユニットは長手方向に沿う軸線が遊技盤の前後方向と一致する姿勢で遊技盤の裏面側に取り付けられ、センサユニットの貫通孔に連通する回収通路も遊技盤の裏面側に設けられており、これらセンサユニットと回収通路は遊技盤の裏面後方に確保された逃げスペース内に配置されている。
【先行技術文献】
【特許文献】
【０００４】
【特許文献１】特開平９−１６４２４４号公報
【発明の概要】
【発明が解決しようとする課題】
【０００５】
ところで、この種の弾球遊技機において、可動態様を変化させることができる役物を遊技盤の適宜位置に配置し、この役物の可動態様によって電子抽選の結果を遊技者に示唆するようにした可動役物装置が広く採用されており、かかる可動役物装置を可変表示装置の側方に近接配置して遊技の演出効果を高めるようにした機種も提案されている。この場合、遊技盤の裏面後方に役物の移動スペースが必要となるため、前述した従来のアタッカ装置を可動役物装置の下方位置に設置しようとすると、遊技盤の裏面から突出するセンサユニットと回収通路によって役物の移動が妨げられてしまうことになる。すなわち、従来の弾球遊技機では、アタッカ装置（大入賞口）の後方に広い逃げスペースを必要とするため、アタッカ装置の設置場所が限定されてしまい、このことが設計上の自由度を制約する大きな要因となっていた。
【０００６】
本発明は、このような従来技術の実情に鑑みてなされたもので、その目的は、大入賞口の後方に広いスペースを確保できて設計自由度の高い弾球遊技機を提供することにある。
【課題を解決するための手段】
【０００７】
上記の目的を達成するために、本発明は、遊技球が流下する遊技領域を有する遊技盤と、前記遊技領域に向けて遊技球を発射する発射装置と、前記遊技領域に設けられた横長形状の内底面を有する大入賞口と、この大入賞口の開口部を開閉するアタッカ扉と、前記大入賞口の内底面に設けられたアウト孔に入球した遊技球を検知する矩形状のセンサユニットと、このセンサユニットの貫通孔を通過した遊技球を誘導して前記遊技盤の裏面側へ排出する回収通路とを備えた弾球遊技機において、前記遊技盤に設けた切欠き孔に収納される本体ケースを備え、この本体ケースに前記大入賞口と前記回収通路および保持孔を一体的に形成し、前記保持孔内に挿入した前記センサユニットと前記大入賞口とを平面的にオーバーラップさせると共に、前記回収通路を前記遊技盤の盤面に略平行な面内で屈曲させて前記大入賞口と平面的にオーバーラップさせる構成とした。
【０００８】
このように構成された弾球遊技機では、本体ケースの保持孔に挿入されたセンサユニットと、このセンサユニットの貫通孔を通過した遊技球を遊技盤の裏面側へ排出する回収通路とが、いずれも平面的にオーバーラップした状態で大入賞口の下方に配置されているため、大入賞口の後方に広いスペースを確保してそこを他の部材の移動スペース等として利用することができ、大入賞口の設置場所を含めて設計上の自由度を高めることができる。
【０００９】
上記の構成において、大入賞口の上方にセンサユニットと平行に延びる回路基板を配置し、この回路基板に実装した光源の光によって大入賞口の内底面を照射させると、アタッカ扉の開放時に上方からの光によって大入賞口の内底面を明るく照らすことができて好ましい。
【発明の効果】
【００１０】
本発明の弾球遊技機は、大入賞口に入賞した遊技球を検知する矩形板状のセンサユニットと、このセンサユニットを通過した遊技球を遊技盤の裏面側へ排出する回収通路とが、いずれも平面的にオーバーラップした状態で大入賞口の下方に配置されており、これらセンサユニットと回収通路を遊技盤の板厚を越えない狭い空間内に配設することによって、大入賞口の後方に広いスペースを確保することができるため、当該スペースを例えば可動役物装置の移動スペース等として利用することが可能となり、大入賞口の設置場所を含めて設計上の自由度を高めることができる。
【図面の簡単な説明】
【００１１】
【図１】本発明の実施形態例に係る弾球遊技機の外観斜視図である。
【図２】該弾球遊技機からガラス扉と前面ボードを取り外して示す斜視図ある。
【図３】該弾球遊技機の背面図である。
【図４】該弾球遊技機に備えられる遊技盤ユニットの斜視図である。
【図５】該遊技盤ユニットの正面図である。
【図６】該遊技盤ユニットの遊技盤に配設されるアタッカ装置の斜視図である。
【図７】該アタッカ装置を背面側から見た斜視図である。
【図８】該アタッカ装置の正面図である。
【図９】該アタッカ装置の背面図である。
【図１０】該アタッカ装置の側面図である。
【図１１】該アタッカ装置の平面図である。
【図１２】該アタッカ装置の底面図である。
【図１３】該アタッカ装置に備えられる主要部品の分解斜視図である。
【図１４】図９のＡ−Ａ線に沿う断面図である。
【図１５】図１０のＢ−Ｂ線に沿う断面図である。
【発明を実施するための形態】
【００１２】
図１と図２に示すように、本実施形態例に係る弾球遊技機（パチンコ機）は、遊技場の島設備に設置される縦長方形状の機枠１と、機枠１に扉状に開閉自在に取り付けられた本体枠２と、本体枠２の内側に収容された遊技盤ユニット３と、本体枠２の前面にヒンジ４を介して開閉自在に取り付けられたガラス扉５と、ガラス扉５の下側で本体枠２の前面に開閉自在に取り付けられた前面ボード６と、前面ボード６の右下隅部に取り付けられた発射ハンドル７等を具備しており、前面ボード６には遊技球を収容する受皿８が設けられている。ガラス扉５の中央部には大きな開口５ａが形成されており、この開口５ａを覆うように透明なガラス板９が取り付けられている。また、ガラス扉５の上部にはスピーカ１０が左右に１個ずつ取り付けられており、これらスピーカ１０から遊技に関する様々な効果音を発するようになっている。
【００１３】
図３に示すように、遊技盤ユニット３は本体枠２の背面側に露出しており、この遊技盤ユニット３には、主制御処理部１１、特別図柄表示制御部１２、普通図柄表示制御部１３、演出制御処理部１４、ランプ制御処理部１５、音声制御処理部１６等が設けられている。また、本体枠２の背面側には、支払制御処理部１７、発射制御処理部１８、賞球支払装置１９等が設けられており、これらは遊技盤ユニット３を包囲する位置に配置されている。
【００１４】
遊技盤ユニット３の前面は図２において簡略化して示されているが、図４と図５に示すように、この遊技盤ユニット３の前面には合板材からなる遊技盤２０が取り付けられており、遊技盤２０の盤面（前面）に形成された遊技領域２１はガラス扉５のガラス板９を通して外部から目視可能となっている。遊技領域２１はガイドレール２２等によって略円形状に区画されており、発射ハンドル７が遊技者によって任意角度に回転操作されると、本体枠２の前面下部に設けられた図示せぬ発射装置が受皿８に保留された遊技球を遊技領域２１に向けて連続的に打ち出すようになっている。
【００１５】
遊技領域２１内の上部中央付近には中央役物ユニット２３が配設されており、この中央役物ユニット２３は、中央部に矩形状の開口２４ａを有する装飾体２４と、装飾体２４の右側壁に配設された可動役物装置２５とを具備している。中央役物ユニット２３の裏面側には液晶パネル（ＬＣＤ）からなる可変表示装置２６が配設されており、この可変表示装置２６の表示画面は装飾体２４の開口２４ａから露出している。装飾体２４には開口２４ａの下辺に沿って左右方向へ延びるステージ２７が設けられており、このステージ２７の中央部には誘導溝２７ａが形成されている。この誘導溝２７ａの真下位置には上面に入賞孔を有する単純構造の第１始動入賞口２８が配設されており、ステージ２７上を転動して誘導溝２７ａから落下した遊技球が高い確率で第１始動入賞口２８に入賞するようになっている。第１始動入賞口２８の真下には第２始動入賞口２９が近接配置されており、この第２始動入賞２９は一対の可動片を有する電動チューリップ構造の始動入賞口となっている。そして、これら始動入賞口２８，２９のいずれか一方に遊技球が入賞すると、それを契機として特別図柄に係る電子抽選が行われ、その抽選結果に基づいて可変表示装置２６の表示画面上で演出用図柄の変動表示および停止表示が行われる。また、中央役物ユニット２３の左側の遊技領域２１には通過チャッカー３０が配設されており、遊技球がこの通過チャッカー３０を通過すると、それを契機として普通図柄に係る電子抽選が行われ、その抽選結果が当たりの場合に第２始動入賞口２９の両可動片を一時的に開放して遊技球の入賞を許可するようになっている。
【００１６】
可動役物装置２５は前述した特別図柄に係る電子抽選の結果を役物の可動態様によって遊技者に示唆することができる装置であり、本実施形態例の場合、柄部材２５ａと鞘部材２５ｂを組み合わせた刀役物としての可動役物装置２５が用いられている。ここで、柄部材２５ａは下方へ延びる刀身（図示せず）を有しており、これら柄部材２５ａと刀身は装飾体２４に固定されている。一方、鞘部材２５ｂは装飾体２４に移動可能に保持されており、通常の遊技状態で鞘部材２５ｂは上昇位置に保持されて刀身を覆っているが、スーパーリーチ時等にモータ（図示せず）を駆動源として鞘部材２５ｂが下方へ移動すると、刀身が鞘部材２５ｂから露出するようになっている。そのため、装飾体２４の内部には鞘部材２５ｂの移動を許容する移動スペースＳ（図１１，１２参照）が確保されており、この移動スペースＳは遊技盤２０の裏面後方に上下方向に沿って画成されている。
【００１７】
第２始動入賞口２９の真下の遊技領域２１内には第１アタッカ装置３１が配設されており、この第１アタッカ装置３１の斜め右上には第２アタッカ装置３２が配設されている。内部構造については図示省略されているが、この第１アタッカ装置３１は、前面を開口して横長形状の内底面を有する大入賞口や、大入賞口に入賞した遊技球を検知するセンサユニットや、大入賞口の開口部を開閉するアタッカ扉や、アタッカ扉を駆動するソレノイド等を具備している。また、第２アタッカ装置３２の詳細な内部構成については後ほど詳細に説明するが、この第２アタッカ装置３２の後方に前述した鞘部材２５ｂの移動スペースＳが確保されている。これら両アタッカ装置３１，３２は、第１および第２始動入賞口２８，２９のいずれか一方に遊技球が入賞することを契機に行われる特別図柄に係る電子抽選の結果、当たりとなって大当たり遊技状態（特別遊技モード）へ移行した場合に作動される装置である。具体的には、特別図柄の抽選結果が第１の大当たり（例えば通常大当たり）の場合、第１アタッカ装置３１のアタッカ扉が複数回繰り返し開放動作してその大入賞口を露呈させ、特別図柄の抽選結果が第２の大当たり（例えば確変大当たり）の場合、第２アタッカ装置３２のアタッカ扉が複数回繰り返し開放動作してその大入賞口を露呈させる。第１および第２アタッカ装置３１，３２のアタッカ扉は１回の開放動作について例えば３０秒経過するまで、あるいは遊技球が大入賞口に例えば１０個入賞するまで開放状態を維持し、かかる開放動作を例えば１５回繰り返した後に大当たりが終了する。
【００１８】
その他、遊技領域２１内には、遊技球の払い出しのみを行う複数の一般入賞口３３や、遊技球の流下経路を担う遊技釘と風車（いずれも図示せず）等が配設されており、いずれの始動入賞口２８，２９や一般入賞口３３にも入賞しなかった遊技球は、遊技領域２１の最下端部に設けられたアウト口３４から遊技盤２０の裏面側に排出されるようになっている。
【００１９】
図６〜図１５に示すように、前述した第２アタッカ装置３２は、遊技盤２０の盤面（前面）に取り付けられた支持ベース３５と、支持ベース３５の裏面に取り付けられた本体ケース３６と、本体ケース３６の内部に保持されたセンサユニット３７と、本体ケース３６の裏面に取り付けられたソレノイド３８と、ソレノイド３８を駆動源として動作されるアタッカ扉３９等を具備している。
【００２０】
支持ベース３５は有色透明な合成樹脂からなる成形品であり、その上部位置に横長矩形状の開口４０が形成されている。支持ベース３５の裏面には開口４０の下辺を挟んだ左右両側に軸受凹部（図示せず）が形成されており、アタッカ扉３９はこれら軸受凹部を支点として支持ベース３５と本体ケース３６との間に回動可能に保持されている。支持ベース３５の前面には金属メッキを施した化粧板４１がネジ止めされており、開口４０は化粧板４１の上縁部に形成された切欠き４１ａ内に露出している。化粧板４１の切欠き４１ａを挟んだ左右両側には支持突起４１ｂが形成されており、これら支持突起４１ｂに化粧シール４２ａを貼着した前面ガード４２がネジ止めされている。ここで、支持突起４１ｂの突出量は遊技球の直径（１１ｍｍ）よりも幾分大きめ（約１３ｍｍ）に設定されており、開口４０と前面ガード４２との間には遊技球の通過経路が確保されている。なお、前面ガード４２はアタッカ扉３９がゴト行為によって不正に開放されることを阻止する機能を有しており、ゴト師と呼ばれる不正者が本体枠２とガラス扉５の隙間からピアノ線等を挿入したとしても、そのピアノ線等を前面ガード４２で邪魔してアタッカ扉３９に触れさせないようにしている。また、支持ベース３５の外縁部には遊技球の流路を規定するレール部材４３がネジ止めされており、このレール部材４３によって遊技領域２１の右下隅部が区画されている。さらに、支持ベース３５には開口４０の上辺と右側部に沿って延びるスリット３５ａが形成されており、このスリット３５ａに対して導光体４４が支持ベース３５の裏面側から挿入・保持されている。
【００２１】
本体ケース３６は透明な合成樹脂からなる成形品である。図１４に示すように、この本体ケース３６は遊技盤２０に形成された切欠孔２０ａ内に収容されており、前面を開口した凹部３６ａと、凹部３６ａの下方に形成された保持孔３６ｂと、保持孔３６ｂの下方に形成された回収通路３６ｃとを有している。凹部３６ａの前面は遊技盤２０の前面に取り付けられた支持ベース３５の開口４０と連通しており、これら凹部３６ａと開口４０によって大入賞口が形成されている。図１５に示すように、大入賞口の内底面である凹部３６ａの底面は右下がりの傾斜面となっており、この傾斜面の下面側にはセレーション形状の反射部３６ｄが形成されている。また、凹部３６ａの傾斜面の下流側にはアウト孔３６ｅが形成されており、このアウト孔３６ｅは回収通路３６ｃの上端に連通している。
【００２２】
本体ケース３６の保持孔３６ｂは凹部３６ａの長手方向に沿って左右へ延びており、この保持孔３６ｂ内にセンサユニット３７が収納されている。センサユニット３７は保持孔３６ｂに対して本体ケース３６の裏面側から挿入されており、本体ケース３６の裏面にネジ止めされたカバー４５によって保持孔３６ｂからの脱落が防止されている。このセンサユニット３７は長手方向の一端部に貫通孔３７ａを有する矩形板状の近接スイッチであり、貫通孔３７ａはアウト孔３６ｅの内部に配置されている。図示省略されているが、センサユニット３７には高周波発振回路を搭載した回路基板が収納されており、この発振回路の検知コイルが貫通孔３７ａを包囲するように巻回されている。また、回収通路３６ｃはアウト孔３６ｅから屈曲して斜め下方へ直線的に延びており、その背面の大部分はカバー４５によって覆われているが、下端部は遊技盤２０の裏面側に開口して排出口３６ｆとなっている。ここで、大入賞口を形成する凹部３６ａに対してセンサユニット３７は平面的にオーバーラップしており、このセンサユニット３７と回収通路３６ｃも平面的にオーバーラップしているため、凹部（大入賞口）３６ａとセンサユニット３７および回収通路３６ｃの三者は遊技盤２０の切欠孔２０ａ内で互いに平面的にオーバーラップしている。したがって、センサユニット３７と回収通路３６ｃは遊技盤２０の裏面から突出しておらず、これらセンサユニット３７と回収通路３６ｃの後方が前述した可動役物装置２５の移動スペースＳとなっている。
【００２３】
ソレノイド３８はＬ字形のブラケット４６に取り付けられており、このブラケット４６は移動スペースＳの側方位置で本体ケース３６の裏面にネジ止めされている。ソレノイド３８は内蔵のコイル（図示せず）に通電することによってプランジャー３８ａが引き込み動作されるプルタイプであり、プランジャー３８ａには駆動アーム４７がピン結合されている。この駆動アーム４７は本体ケース３６を貫通してアタッカ扉３９に係合しており、ソレノイド３８の通電によってプランジャー３８ａが引き込み動作されると、アタッカ扉３９が回動して大入賞口の入口である開口４０を開放するようになっている。
【００２４】
本体ケース３６の上面には複数のスナップ爪３６ｇが形成されており、これらスナップ爪３６ｇに回路基板４８が係止されている。回路基板４８は凹部３６ａを挟んでセンサユニット３７と平行に延びており、その上下両面に複数のＬＥＤ４９，５０が実装されている。上面側の各ＬＥＤ４９は水平方向に光を発するホリゾンタルタイプで、これらＬＥＤ４９から発せられた光によって導光体４４が照光されるようになっている。また、下面側の各ＬＥＤ５０は垂直方向に光を発するバーチカルタイプで、これらＬＥＤ５０から発せられた光は凹部３６ａを通って下面側の反射部３６ｄに照射されるようになっている。したがって、アタッカ扉３９の開放時に各ＬＥＤ５０を点灯させることにより、大入賞口の内底面の下面側に形成された反射部３６ｄを明るく光らせることができる。
【００２５】
このように構成された第２アタッカ装置３２において、通常、大入賞口の入口である開口４０はアタッカ扉３９によって閉じられており、第２アタッカ装置３２の上方から流下した遊技球はアタッカ扉３９と前面ガード４２の間を通ってアウト口３４まで誘導される。また、特別図柄の抽選結果が第２の大当たり（例えば確変大当たり）となった場合、ソレノイド３８への通電によってアタッカ扉３９が複数回繰り返し開放動作して大入賞口（開口４０）を露呈させるため、第２アタッカ装置３２の上方や側方から流下した遊技球を大入賞口に入賞させることができる。大入賞口に入賞した遊技球は、本体ケース３６の凹部３６ａの底面に沿ってアウト孔３６ｅに入球した後、センサユニット３７の貫通孔３７ａを通過して回収通路３６ｃの下端部まで誘導され、最終的に排出口３６ｆから遊技盤２０の裏面側へと排出される。
【００２６】
なお、第１アタッカ装置３１の後方には移動スペースＳを確保する必要がないため、第１アタッカ装置３１は従来例で説明したものと同様の構成となっており、そのセンサユニットと回収通路は遊技盤２０の裏面後方に突出している。ただし、第１アタッカ装置３１を第２アタッカ装置３２と同様の構成にしても良い。
【００２７】
以上説明したように、本実施形態例に係る弾球遊技機では、第２アタッカ装置３２の大入賞口（開口４０）に入賞した遊技球を検知する矩形板状のセンサユニット３７と、このセンサユニット３７を通過した遊技球を遊技盤２０の裏面側へ排出する回収通路路３６ｃとが、いずれも平面的にオーバーラップした状態で本体ケース３６の凹部３６ａの下方に配置されているため、大入賞口である凹部３６ａの後方に広いスペースを確保することができる。したがって、当該スペースを可動役物装置２５の移動スペースＳとして利用することが可能となり、第１アタッカ装置３１や第２アタッカ装置３２の設置場所等を含めて設計上の自由度を高めることができる。
【００２８】
また、第２アタッカ装置３２の大入賞口（凹部３６ａ）の上方にセンサユニット３７と平行に延びる回路基板４８を配置すると共に、凹部３６ａの内底面の下面側にセレーション形状の反射部３６ｄを形成し、回路基板４８の下面に実装したＬＥＤ（光源）４９の光によって反射部３６ｄを照射させるようにしたので、アタッカ扉３９の開放時に上方からの光によって大入賞口の内底面を明るく照らすことができる。
【００２９】
なお、上記実施形態例では、遊技盤２０の遊技領域２１に第１アタッカ装置３１と第２アタッカ装置３２を配設した弾球遊技機について説明したが、第１アタッカ装置３１についてはこれを省略することも可能である。
【符号の説明】
【００３０】
３  遊技盤ユニット
２０  遊技盤
２０ａ  切欠孔
２１  遊技領域
２２  中央役物ユニット
２４  装飾体
２５  可動役物装置
２５ａ  柄部材
２５ｂ  鞘部材
２６  可変表示装置
２８  第１始動入賞口
２９  第２始動入賞口
３０  通過チャッカー
３１  第１アタッカ装置
３２  第２アタッカ装置
３５  支持ベース
３６  本体ケース
３６ａ  凹部（大入賞口）
３６ｂ  保持孔
３６ｃ  回収通路
３６ｄ  反射部
３６ｅ  アウト孔
３６ｆ  排出口
３７  センサユニット
３７ａ  貫通孔
３８  ソレノイド
３８ａ  プランジャー
３９  アタッカ扉
４０  開口（大入賞口）
４５  カバー
４６  ブラケット
４７  駆動アーム
４８  回路基板
５０  ＬＥＤ（光源）
Ｓ  移動スペース
【図１】
0005512330.tif 000002
【図２】
0005512330.tif 000003
【図３】
0005512330.tif 000004
【図４】
0005512330.tif 000005
【図５】
0005512330.tif 000006
【図６】
0005512330.tif 000007
【図７】
0005512330.tif 000008
【図８】
0005512330.tif 000009
【図９】
0005512330.tif 000010
【図１０】
0005512330.tif 000011
【図１１】
0005512330.tif 000012
【図１２】
0005512330.tif 000013
【図１３】
0005512330.tif 000014
【図１４】
0005512330.tif 000015
【図１５】
0005512330.tif 000016